(57)【特許請求の範囲】
【請求項１】
複数の送受信回路を有し、複数の異なる周波数で同時に通信可能であると共に、複数のアンテナから受信信号強度に応じて前記複数の送受信回路の一に接続するアンテナを選択するアンテナ切替ダイバーシチ方式を採用した通信装置に用いられるアンテナ切替装置であって、
前記複数の周波数の各々について所定の位相条件を満たすインピーダンスを有する終端回路と、
前記複数のアンテナを切り替えて、前記複数の送受信回路の一に接続するアンテナを選択し、当該送受信回路に接続するアンテナ以外の非選択アンテナを前記終端回路に接続する切替回路と、
を備えるアンテナ切替装置。
【請求項２】
請求項１に記載のアンテナ切替装置であって、
前記終端回路は、並列キャパシタンス素子及び直列インダクタンス素子のうちの少なくとも一方、及び、直列キャパシタンス素子及び並列インダクタンス素子のうちの少なくとも一方を有するアンテナ切替装置。
【請求項３】
請求項１または請求項２に記載のアンテナ切替装置であって、
前記終端回路は、可変インダクタンス素子及び可変キャパシタンス素子を有するアンテナ切替装置。
【請求項４】
請求項３に記載のアンテナ切替装置であって、
前記終端回路の可変インダクタンス素子及び可変キャパシタンス素子の定数を、通信に使用されている周波数に応じて制御する制御回路を更に備えるアンテナ切替装置。
【請求項５】
請求項１ないし４のいずれか一項に記載のアンテナ切替装置を備えた通信装置。
【発明の詳細な説明】
【技術分野】
【０００１】
本発明は、複数の異なる周波数で同時に通信可能であると共に、複数のアンテナから受信信号強度に応じて無線回路に接続するアンテナを選択するアンテナ切替ダイバーシチ方式を採用した通信装置に用いられるアンテナ切替装置及び通信装置に関する。
【背景技術】
【０００２】
複数のアンテナから、通信に用いるアンテナを選択するアンテナ切替ダイバーシチ方式を採用した通信装置に用いられるアンテナ切替装置として、例えば特許文献１には、非選択ブランチ終端条件切替回路が開示されている。
【０００３】
特許文献１に記載された非選択ブランチ終端条件切替回路は、時分割多元接続方式（各局が割り当てられた特定のタイムスロットのみに、信号を送信する通信方式）携帯無線機におけるアンテナ切替ダイバーシチ受信において、送受信アンテナを選択しているときに非選択ブランチ（受信用アンテナ）の最適終端条件を送信時と受信時にて切り替えるものである。
【０００４】
【特許文献１】特許第３１１９６４２号明細書
【発明の開示】
【発明が解決しようとする課題】
【０００５】
しかしながら、上述の非選択ブランチ終端条件切替回路では、単独の周波数において非選択ブランチの終端条件を最適化するものであるため、複数の異なる周波数で同時通信した場合において、非選択ブランチのアンテナの終端条件を最適化することは困難である。したがって、非選択ブランチのアンテナと通信に使用されているアンテナとの相互結合により、アンテナ放射効率が低下してしまうという課題がある。
【０００６】
本発明は、上記の課題に鑑みてなされたものであって、複数の異なる周波数での同時通信において、アンテナ間結合によるアンテナ特性の劣化を抑制することが可能なアンテナ切替装置及び通信装置を提供することを目的とする。
【課題を解決するための手段】
【０００７】
本発明は、第１に、複数の送受信回路を有し、複数の異なる周波数で同時に通信可能であると共に、複数のアンテナから受信信号強度に応じて前記複数の送受信回路の一に接続するアンテナを選択するアンテナ切替ダイバーシチ方式を採用した通信装置に用いられるアンテナ切替装置であって、前記複数の周波数の各々について所定の位相条件を満たすインピーダンスを有する終端回路と、前記複数のアンテナを切り替えて、前記複数の送受信回路の一に接続するアンテナを選択し、当該送受信回路に接続するアンテナ以外の非選択アンテナを前記終端回路に接続する切替回路と、を備えるアンテナ切替装置が提供されるものである。
【０００８】
この構成により、複数の異なる周波数にて同時通信が行われているとき、非選択アンテナに接続された終端回路は、各々の周波数において所定の位相条件を満たすインピーダンスを有することにより終端条件を最適化することが可能であるので、アンテナ間結合によるアンテナ特性の劣化を抑制することができる。
【０００９】
本発明は、第２に、上記１に記載のアンテナ切替装置であって、前記終端回路は、並列インダクタンス素子と直列キャパシタンス素子とのうちの少なくとも一方、及び、直列インダクタンス素子と並列キャパシタンス素子とのうちの少なくとも一方を有するアンテナ切替装置が提供されるものである。
【００１０】
この構成により、比較的低い周波数におけるインピーダンスは、並列インダクタンス素子と直列キャパシタンス素子のうちの少なくとも一方を用いて、比較的高い周波数におけるインピーダンスは、直列インダクタンス素子と並列キャパシタンス素子とのうちの少なくとも一方を用いて設定することができる。
【００１１】
本発明は、第３に、上記第１に記載のアンテナ切替装置であって、前記終端回路は、可変インダクタンス素子及び可変キャパシタンス素子を有するアンテナ切替装置が提供されるものである。
【００１２】
この構成により、終端回路のインピーダンスを調整することが可能となるので、通信に使用されている周波数に応じて終端条件を最適化することができる。
【００１３】
本発明は、第４に、上記第３に記載のアンテナ切替装置であって、前記終端回路の可変インダクタンス素子及び可変キャパシタンス素子の定数を、通信に使用されている周波数に応じて制御する制御回路を更に備えるアンテナ切替装置が提供されるものである。
【００１４】
この構成により、通信に使用されている周波数に応じて、終端回路の可変インダクタンス素子及び可変キャパシタンス素子の定数を制御して、通信に使用されている周波数に応じて終端条件を最適化することができる。
【００１５】
本発明は、第５に、上記第１ないし第４のいずれかに記載のアンテナ切替装置を備えた通信装置が提供されるものである。
【００１６】
この構成により、複数の異なる周波数にて同時通信が行われているとき、非選択アンテナに接続された終端回路は、各々の周波数において所定の位相条件を満たすインピーダンスを有することにより終端条件を最適化することが可能であるので、アンテナ間結合によるアンテナ特性の劣化を抑制することができる。
【発明の効果】
【００１７】
本発明によれば、複数の異なる周波数での同時通信において、アンテナ間結合によるアンテナ特性の劣化を抑制することが可能なアンテナ切替装置及び通信装置を提供することができる。
【発明を実施するための最良の形態】
【００１８】
（第１の実施形態）
図１は、本発明の第１の実施形態に係るアンテナ切替装置を含む通信装置の主要な構成を示すブロック図である。図１に示すように、本実施形態の通信装置は、アンテナ１１ａ，１１ｂと、整合回路１２ａ，１２ｂと、終端回路１３ａ，１３ｂと、切替回路１４と、送受信回路１７と、制御回路１８とを有し、アンテナ１１ａ，１１ｂから受信信号強度に応じて送受信回路１７に接続するアンテナを選択するアンテナ切替ダイバーシチ方式が採用されている。なお、本実施形態では、送受信回路１７は、アンテナ１１ａ，１１ｂを通じて、周波数ｆ１にて通信を行うものとする。
【００１９】
さらに、本実施形態の通信装置は、アンテナ１と、整合回路２と、送受信回路３とを有する。なお、本実施形態では、送受信回路３は、アンテナ１を通じて、周波数ｆ１とは異なる周波数ｆ２にて通信を行うものとする。このようにして、本実施形態の通信装置は、複数の異なる周波数ｆ１、ｆ２で同時に通信可能なものである。
【００２０】
整合回路１２ａ，１２ｂは各々、アンテナ１１ａ，１１ｂと送受信回路１７との間のインピーダンスの整合を取る。
【００２１】
終端回路１３ａ，１３ｂは、通信装置で同時通信に用いられる周波数ｆ１，ｆ２の各々について所定の位相条件を満たすインピーダンスを有する。すなわち、終端回路１３ａ，１３ｂは、周波数ｆ１，ｆ２の２周波共用の終端回路である。なお、終端回路１３ａ，１３ｂは同様の構成を有するものであり、これらを区別して説明する必要がないときは、終端回路１３として説明する。
【００２２】
図２は、本発明の第１の実施形態に係る終端回路の構成の一例を示す回路図である。図２に示すように、終端回路１３は、並列インダクタンス素子１３１、直列キャパシタンス素子１３２、並列キャパシタンス素子１３３、直列インダクタンス素子１３４を有する。なお、終端回路１３は、必ずしもこれら全ての素子を有する必要はなく、並列インダクタンス素子１３１と直列キャパシタンス素子１３２とのうちの少なくとも一方、並列キャパシタンス素子１３３と直列インダクタンス素子１３４とのうちの少なくとも一方を有していればよい。
【００２３】
一般的に、周波数ｆにおけるインダクタンスＬ、キャパシタンスＣのリアクタンスは、並列インダクタンス素子１３１において１／（２πｆＬ）、直列キャパシタンス素子１３２において１／（２πｆＣ）、並列キャパシタンス素子１３３において２πｆＣ、直列インダクタンス素子１３４において２πｆＬであることが知られている。
【００２４】
ここで、異なる周波数ｆ１、ｆ２の関係をｆ１＜ｆ２とすると、終端回路１３全体の位相には、並列インダクタンス素子１３１および直列キャパシタンス素子１３２の位相が低い周波数ｆ１において大きく寄与し、並列キャパシタンス素子１３３および直列インダクタンス素子１３４の位相が高い周波数ｆ２において大きく寄与することが分かる。
【００２５】
このため、周波数ｆ１で動作する選択アンテナ（アンテナ１１ａ又は１１ｂ）に対する非選択アンテナ（アンテナ１１ｂ又は１１ａ）の位相条件は、主として並列インダクタンス素子１３１および直列キャパシタンス素子１３２の組み合わせから構成し、周波数ｆ２で動作するアンテナ１に対する非選択アンテナの位相条件は、主として並列キャパシタンス素子１３３および直列インダクタンス素子１３４の組み合わせから構成することで終端回路１６のインダクタンスを設定することができる。
【００２６】
以下に上記手法を基に構成した終端回路１３の例を、図３〜図８を参照して説明する。ここで、周波数ｆ１は８００ＭＨｚ、周波数ｆ２は２ＧＨｚとしてチューニングを行っている。
【００２７】
図３は、本発明の第１の実施形態における第１の終端条件を説明する図である。第１の終端条件は、図３のスミスチャートにより示されるように、周波数ｆ１においてｊ５０Ω、周波数ｆ２において−ｊ５０Ωである。
【００２８】
図４は、本発明の第１の実施形態における第１の終端条件を満たす終端回路の構成の一例を示す回路図である。図４に示すように、第１の終端条件を満たす終端回路１３の一例としては、１６．５ｐＦの直列キャパシタンス素子１３２と、２．７ｐＦの並列キャパシタンス素子１３３と、６．７ｎＨの直列インダクタンス素子１３４とを有するものである。これにより、終端回路１３は、第１の終端条件を満たすインピーダンス、すなわち周波数ｆ１においてｊ５０Ωのインピーダンス、周波数ｆ２において−ｊ５０Ωのインピーダンスを有する。
【００２９】
図５は、本発明の第１の実施形態における第２の終端条件を説明する図である。第２の終端条件は、図５のスミスチャートにより示されるように、周波数ｆ１において−ｊ５０Ω、周波数ｆ２においてｊ５０Ωである。
【００３０】
図６は、本発明の第１の実施形態における第２の終端条件を満たす終端回路の構成の一例を示す回路図である。図６に示すように、第２の終端条件を満たす終端回路１３の一例としては、２．８ｐＦの直列キャパシタンス素子１３２と、０．５ｐＦの並列キャパシタンス素子１３３と、４．２ｎＨの直列インダクタンス素子１３４とを有するものである。これにより、終端回路１３は、第２の終端条件を満たすインピーダンス、すなわち周波数ｆ１において−ｊ５０Ωのインピーダンス、周波数ｆ２においてｊ５０Ωのインピーダンスを有する。
【００３１】
図７は、本発明の第１の実施形態における第３の終端条件を説明する図である。第３の終端条件は、図７のスミスチャートにより示されるように、周波数ｆ１，ｆ２の両方においてｊ２５Ωである。
【００３２】
図８は、本発明の第１の実施形態における第３の終端条件を満たす終端回路の構成の一例を示す回路図である。図８に示すように、第３の終端条件を満たす終端回路１３の一例としては、４．２ｎＨの並列インダクタンス素子１３１と、１ｐＦの直列キャパシタンス素子１３２と、１０．１ｎＨの直列インダクタンス素子１３４とを有するものである。これにより、終端回路１３は、第３の終端条件を満たすインピーダンス、すなわち周波数ｆ１，ｆ２においてｊ２５Ωのインピーダンスを有する。
【００３３】
上記の３つの例のように、終端回路１３は、非選択アンテナ（アンテナ１１ａ又は１１ｂ）が、異なる周波数ｆ１，ｆ２で同時通信を行っている各々のアンテナ（アンテナ１１ｂ又は１１ａ、及び、アンテナ１）に対して所望の位相に調整することにより、終端条件を最適化することができるため、非選択アンテナと通信に使用されているアンテナとの相互結合により、通信に使用されているアンテナ特性の劣化を抑制することができる。
【００３４】
切替回路１４は、アンテナ切替スイッチ１５と、終端回路切替スイッチ１６ａ，１６ｂとを有し、制御回路１８により出力された制御信号に基づいて複数のアンテナ１１ａ，１１ｂを切り替えて送受信回路１７に接続するアンテナを選択し、送受信回路１７に接続するアンテナ以外の非選択アンテナを終端回路１３に接続するものである。
【００３５】
アンテナ切替スイッチ１５は、制御回路１８からの制御信号に基づいて整合回路１２ａ，１２ｂのいずれか一方を切り替えて送受信回路１７に接続することにより、通信に使用するアンテナを選択する。終端回路切替スイッチ１６ａ，１６ｂは、制御回路１８からの制御信号に基づいて、整合回路１２ａ，１２ｂと終端回路１３ａ，１３ｂとの間の接続／非接続をそれぞれ切り替える。アンテナ切替スイッチ１５によって送受信回路１７と接続された終端回路切替スイッチ１６は、整合回路と終端回路との間を接続せず、アンテナ切替スイッチ１５によって送受信回路１７と接続されない終端回路切替スイッチ１６は、整合回路と終端回路との間を接続する。
【００３６】
送受信回路１７は、アンテナ１１ａ，１１ｂのうち、切替回路１４を介して接続されたアンテナを介して基地局装置等の通信相手と送受信を行う。制御回路１８は、送受信回路１７にて受信した信号から受信信号強度を検出し、その受信信号強度に応じてアンテナ１１ａ，１１ｂのいずれか一方を選択する切替信号を、切替回路１４のアンテナ切替スイッチ１５及び終端回路切替スイッチ１６ａ，１６ｂへ出力する。
【００３７】
このように構成された本実施形態のアンテナ切替装置の動作について説明する。以下の説明では、一例として、制御回路１８は、切替回路１４を制御して、送受信回路１７と接続するアンテナとして、アンテナ１１ａを選択、アンテナ１１ｂを非選択する場合に関して説明する。
【００３８】
図１に示すように、選択アンテナであるアンテナ１１ａは、制御回路１８からの制御信号に基づいて終端回路切替スイッチ１６ａが開、アンテナ切替スイッチ１５が閉となって、送受信回路１７に接続されることにより、周波数ｆ１での通信が行われている。一方、非選択アンテナであるアンテナ１１ｂは、終端回路切替スイッチ１６ｂが閉、アンテナ切替スイッチ１５が開となって、終端回路１３ｂに接続されている。アンテナ１は、整合回路２を経由して送受信回路３に接続されることにより、周波数ｆ２での通信が行われている。
【００３９】
このとき、非選択アンテナ１１ｂは、その終端が２周波共用の終端回路１３ｂにより、周波数ｆ１で動作する選択アンテナ１１ａおよび周波数ｆ２で動作するアンテナ１に対して最適な位相に調整されるため、非選択アンテナ１１ｂと選択アンテナ１１ａとのアンテナ間結合および非選択アンテナ１１ｂとアンテナ１とのアンテナ間結合が低減し、通信を行っているアンテナ１１ａおよびアンテナ１のアンテナ特性の劣化を抑制することができる。
【００４０】
このような本発明の第１の実施形態によれば、複数の異なる周波数にて同時通信が行われているとき、非選択アンテナに接続された終端回路は、各々の周波数において所定の位相条件を満たすインピーダンスを有することにより終端条件を最適化することが可能であるので、アンテナ間結合によるアンテナ特性の劣化を抑制することができる。
【００４１】
（第２の実施形態）
図９は、本発明の第２の実施形態に係るアンテナ切替装置を含む通信装置の主要な構成を示すブロック図であり、図１０は、本発明の第２の実施形態に係る終端回路の構成の一例を示す回路図である。図９において、第１の実施形態で説明した図１と重複する部分については同一の符号を付す。
【００４２】
図９に示すように、本実施形態の通信装置は、アンテナ２１ａ，２１ｂと、整合回路２２ａ，２２ｂと、終端回路２３ａ，２３ｂと、切替回路１４と、２周波共用送受信回路２７と、制御回路２８とを有する。なお、終端回路２３ａ，２３ｂは同様の構成を有するものであり、これらを区別して説明する必要がないときは、終端回路２３として説明する。
【００４３】
アンテナ２１ａ，２１ｂ及び２周波共用送受信回路２７は、異なる２つの周波数において共用可能なものである。なお、本実施形態では、２周波共用送受信回路２７は、アンテナ２１ａ，２１ｂを通じて、周波数ｆ１，ｆ３のいずれかを選択して通信を行うものとする。
【００４４】
さらに、第１の実施形態と同様に、本実施形態の通信装置は、アンテナ１と、整合回路２と、送受信回路３とを有し、周波数ｆ２にて通信を行うものとする。このようにして、本実施形態の通信装置は、複数の異なる周波数ｆ１とｆ２とで、又は、周波数ｆ１とｆ３とで同時に通信可能なものである。
【００４５】
制御回路２８は、切替回路１４に対する制御信号のほか、２周波共用送受信回路２７にて通信を行っている周波数（周波数ｆ１又はｆ３）に応じて、終端回路２３ａ，２３ｂに対して制御信号を出力する。
【００４６】
終端回路２３は、周波数ｆ１又はｆ３で動作する選択アンテナ（アンテナ２１ａ又は２１ｂ）、及び周波数ｆ２で動作するアンテナ１に対する非選択アンテナ（アンテナ２１ａ又は２１ｂ）の位相条件を最適化するものである。
【００４７】
図１０に示すように、終端回路２３は、インダクタンスの値が可変な並列可変インダクタンス素子２３１、キャパシタンスの値が可変な直列可変キャパシタンス素子２３２、インダクタンスの値が可変な並列可変キャパシタンス素子２３３、キャパシタンスの値が直列可変インダクタンス素子２３４を有する。なお、終端回路２３は、必ずしもこれら全ての素子を有する必要はなく、並列可変インダクタンス素子２３１と直列可変キャパシタンス素子２３２とのうちの少なくとも一方、並列可変キャパシタンス素子２３３と直列可変インダクタンス素子２３４とのうちの少なくとも一方を有していればよい。
【００４８】
これにより、終端回路２３における可変インピーダンス素子及び可変キャパシタンス素子は、制御回路２８により出力される、２周波共用送受信回路２７において通信が行われている周波数ｆ１又はｆ３に応じた制御信号に基づいてそのインピーダンス、キャパシタンスの値が設定される。
【００４９】
なお、終端回路２３の各素子の定数は、第１の実施形態において記載した手法を用いることにより決定を行い、周波数ｆ１および周波数ｆ２での通信時、周波数ｆ２および周波数ｆ３での通信時に応じて切り替えられる。
【００５０】
このように構成された本実施形態のアンテナ切替装置の動作について説明する。以下の説明では、一例として、制御回路２８は、切替回路１４を制御して、２周波共用送受信回路２７と接続するアンテナとして、アンテナ２１ａを選択、アンテナ２１ｂを非選択する場合に関して説明する。
【００５１】
図９に示すように、選択アンテナであるアンテナ２１ａは、制御回路２８からの制御信号に基づいて、終端回路切替スイッチ１６ａが開、アンテナ切替スイッチ１５が閉となって、２周波共用送受信回路２７に接続されることにより、通信が行われている。一方、非選択アンテナであるアンテナ２１ｂは、終端回路切替スイッチ１６ｂが閉、アンテナ切替スイッチ１５が開となって、終端回路２３ｂに接続されている。アンテナ１は、整合回路２を経由して送受信回路３に接続されることにより、周波数ｆ２での通信が行われている。
【００５２】
２周波共用送受信回路２７が周波数ｆ１で通信を行っているときは、選択アンテナ２１ａが周波数ｆ１、アンテナ１が周波数ｆ２にて動作している。制御回路２８は、２周波共用送受信回路２７において通信に使用されている周波数ｆ１に応じて終端回路２３ｂの素子の定数を制御する。そして、制御回路２８による制御により、終端回路２３ｂの各可変素子の定数は、周波数ｆ１及び周波数ｆ２の各々において、所望の終端条件を満たす定数が設定される。すなわち、終端回路２３ｂは、周波数ｆ１及び周波数ｆ２の２周波共用の終端回路として機能する。
【００５３】
したがって、非選択アンテナ２１ｂは、その終端が周波数ｆ１及び周波数ｆ２の２周波共用の終端回路２３ｂにより、周波数ｆ１で動作する選択アンテナ２１ａおよび周波数ｆ２で動作するアンテナ１に対して最適な位相に調整されるため、非選択アンテナ２１ｂと選択アンテナ２１ａとのアンテナ間結合および非選択アンテナ２１ｂとアンテナ１とのアンテナ間結合が低減し、通信を行っているアンテナ２１ａおよびアンテナ１のアンテナ特性の劣化を抑制することができる。
【００５４】
２周波共用送受信回路２７が周波数ｆ３で通信を行っているときは、選択アンテナ２１ａが周波数ｆ３、アンテナ１が周波数ｆ２にて動作している。制御回路２８は、２周波共用送受信回路２７において通信に使用されている周波数ｆ３に応じて終端回路２３ｂの素子の定数を制御する。そして、制御回路２８による制御により、終端回路２３ｂの各可変素子の定数は、周波数ｆ３及び周波数ｆ２の各々において、所望の終端条件を満たす定数が設定される。すなわち、終端回路２３ｂは、周波数ｆ３及び周波数ｆ２の２周波共用の終端回路として機能する。
【００５５】
したがって、非選択アンテナ２１ｂは、その終端が周波数ｆ３及び周波数ｆ２の２周波共用の終端回路２３ｂにより、周波数ｆ３で動作する選択アンテナ２１ａおよび周波数ｆ２で動作するアンテナ１に対して最適な位相に調整されるため、非選択アンテナ２１ｂと選択アンテナ２１ａとのアンテナ間結合および非選択アンテナ２１ｂとアンテナ１とのアンテナ間結合が低減し、通信を行っているアンテナ２１ａおよびアンテナ１のアンテナ特性の劣化を抑制することができる。
【００５６】
このような本発明の第２の実施形態によれば、同時通信を行う周波数が切り替えられたとしても、非選択アンテナに接続された終端回路は、通信に使用されている周波数に応じて所定の位相条件を満たすインピーダンスを有することにより、終端条件を最適化することが可能であるので、アンテナ間結合によるアンテナ特性の劣化を抑制することができる。
【００５７】
（第３の実施形態）
図１１は、本発明の第３の実施形態に係るアンテナ切替装置を含む通信装置の主要な構成を示すブロック図であり、図１２は、本発明の第３の実施形態に係る終端回路の構成の一例を示す回路図である。図１１において、第１の実施形態で説明した図１と重複する部分については同一の符号を付す。
【００５８】
図１１に示すように、本実施形態の通信装置は、アンテナ３１ａ，３１ｂと、整合回路３２ａ，３２ｂと、終端回路３３ａ，３３ｂと、切替回路１４と、多周波共用送受信回路３７と、制御回路１８とを有する。なお、終端回路３３ａ，３３ｂは同様の構成を有するものであり、これらを区別して説明する必要がないときは、終端回路３３として説明する。
【００５９】
アンテナ３１ａ，３１ｂ及び多周波共用送受信回路３７は、異なる（ｎ−１）個の周波数（ｎは３以上の整数）において共用可能なものである。なお、本実施形態では、多周波共用送受信回路３７は、アンテナ３１ａ，３１ｂを通じて、周波数ｆ１，ｆ２，・・・ｆ（ｎ−１）を用いて同時に通信を行うものとする。
【００６０】
さらに、第１の実施形態と同様に、本実施形態の通信装置は、アンテナ１と、整合回路２と、送受信回路３とを有する。なお、本実施形態では、送受信回路３は、周波数ｆｎにて通信を行うものとする。このようにして、本実施形態の通信装置は、ｎ個の異なる周波数ｆ１〜ｆｎで同時に通信可能なものである。
【００６１】
終端回路３３ａ，３３ｂは、通信装置で同時通信に用いられる周波数ｆ１〜ｆｎの各々について所定の位相条件を満たすインピーダンスを有する。すなわち、終端回路３３ａ，３３ｂは、周波数ｆ１〜ｆｎのｎ周波共用の終端回路である。なお、終端回路３３ａ，３３ｂは同様の構成を有するものであり、これらを区別して説明する必要がないときは、終端回路３３として説明する。
【００６２】
図１２に示すように、終端回路３３は、並列インダクタンス素子３３１、直列キャパシタンス素子３３２、並列キャパシタンス素子３３３、直列インダクタンス素子３３４を有する。更に、必要に応じて直列インダクタンス素子３３４の後段にも直列又は並列にインダクタンス素子又はキャパシタンス素子が接続される。なお、終端回路３３は、少なくともｎ個の素子を有する。
【００６３】
これにより、非選択アンテナ（アンテナ３１ａ又は３１ｂ）が、異なる周波数ｆ１〜ｆｎで同時通信を行っている各々のアンテナ（アンテナ３１ｂ又は３１ａ、及び、アンテナ１）に対して所望の位相に調整することにより、終端条件を最適化することができるため、非選択アンテナと通信に使用されているアンテナとの相互結合により、通信に使用されているアンテナ特性の劣化を抑制することができる。
【００６４】
このような本発明の第３の実施形態によれば、複数の異なる周波数にて同時通信が行われているとき、非選択アンテナに接続された終端回路は、各々の周波数において所定の位相条件を満たすインピーダンスを有することにより終端条件を最適化することが可能であるので、アンテナ間結合によるアンテナ特性の劣化を抑制することができる。
【００６５】
なお、本実施の第１〜第３の形態では、２系統の送受信回路で動作する通信システムに関して説明を行ったが、異なる２つの周波数で同時通信を行う通信システムであれば、これに限るものではない。また、終端回路は、固定リアクタンス素子と可変リアクタンス素子とを組み合わせて構成してもよい。
【産業上の利用可能性】
【００６６】
本発明のアンテナ切替装置及び通信装置は、複数の異なる周波数での同時通信において、アンテナ間結合によるアンテナ特性の劣化を抑制することが可能な効果を有し、携帯無線機等に有用である。
【図面の簡単な説明】
【００６７】
【図１】本発明の第１の実施形態に係るアンテナ切替装置を含む通信装置の主要な構成を示すブロック図
【図２】本発明の第１の実施形態に係る終端回路の構成の一例を示す回路図
【図３】本発明の第１の実施形態における第１の終端条件を説明する図
【図４】本発明の第１の実施形態における第１の終端条件を満たす終端回路の構成の一例を示す回路図
【図５】本発明の第１の実施形態における第２の終端条件を説明する図
【図６】本発明の第１の実施形態における第２の終端条件を満たす終端回路の構成の一例を示す回路図
【図７】本発明の第１の実施形態における第３の終端条件を説明する図
【図８】本発明の第１の実施形態における第３の終端条件を満たす終端回路の構成の一例を示す回路図
【図９】本発明の第２の実施形態に係るアンテナ切替装置を含む通信装置の主要な構成を示すブロック図
【図１０】本発明の第２の実施形態に係る終端回路の構成の一例を示す回路図
【図１１】本発明の第３の実施形態に係るアンテナ切替装置を含む通信装置の主要な構成を示すブロック図
【図１２】本発明の第３の実施形態に係る終端回路の構成の一例を示す回路図
【符号の説明】
【００６８】
１，１１ａ，１１ｂ，２１ａ，２１ｂ，３１ａ，３１ｂ  アンテナ
２，１２ａ，１２ｂ，２２ａ，２２ｂ，３２ａ，３２ｂ  整合回路
３，１７  送受信回路
１３，１３ａ，１３ｂ，２３，２３ａ，２３ｂ，３３，３３ａ，３３ｂ  終端回路
１４  切替回路
１５  アンテナ切替スイッチ
１６，１６ａ，１６ｂ  終端回路切替スイッチ
１８  制御回路
２７  ２周波共用送受信回路
２８  制御回路
３７  多周波共用送受信回路
１３１，１３４，３３１，３３４  インダクタンス素子
１３２，１３３，３３２，３３３  キャパシタンス素子
２３１，２３４  可変インダクタンス素子
２３２，２３３  可変キャパシタンス素子
【図１】
0004777428.tif 000002
【図２】
0004777428.tif 000003
【図３】
0004777428.tif 000004
【図４】
0004777428.tif 000005
【図５】
0004777428.tif 000006
【図６】
0004777428.tif 000007
【図７】
0004777428.tif 000008
【図８】
0004777428.tif 000009
【図９】
0004777428.tif 000010
【図１０】
0004777428.tif 000011
【図１１】
0004777428.tif 000012
【図１２】
0004777428.tif 000013